(57)【要約】【課題】部品点数を増加させず、アルミニウムまたはアルミニウム合金製のルーフパネルの歪みを抑制する。【解決手段】ルーフパネル３０は、車両ルーフの外板を構成するルーフ本体部３２と、ルーフ本体部３２の車両幅方向端部から車両下方へ屈曲し車両上下方向に配置された立壁部３４と、立壁部３４の下端から車両幅方向外側へ延出するように形成された接合部３６が形成されている。接合部３６及び立壁部３４は、ルーフパネル３０の端部が折り返されて二枚重ねとされた折返部４０に形成されている。【選択図】図２
2016078580.tif 000002
【特許請求の範囲】
【請求項１】
車両ルーフの外板を構成するルーフ本体部と、
前記ルーフ本体部の車両幅方向端部から車両下方へ屈曲し車両上下方向に配置された立壁部と、
前記立壁部の下端から車両幅方向外側へ延出された接合部と、
前記ルーフ本体部と一体的に形成され、前記接合部及び前記立壁部の厚みを前記ルーフ本体部の車両幅方向中央部の厚みよりも厚くし、前記接合部及び前記立壁部を補強する補強部と、
を有するアルミニウムまたはアルミニウム合金製のルーフパネルと、
前記ルーフパネルと熱膨張係数が異なり、前記ルーフパネルの車両幅方向両端に車両前後方向に沿って延在し、前記ルーフパネルの前記接合部と接合される車体骨格部材と、
を備えた車両用ルーフ構造。
【請求項２】
前記補強部は、前記ルーフパネルの車両幅方向端部を折り返して前記ルーフパネルを外側パネル部と内側パネル部の二枚重ねとした折返部により構成されている、ことを特徴とする請求項１に記載の車両用ルーフ構造。
【請求項３】
前記外側パネル部と前記内側パネル部の間に、接着剤が介在されている、ことを特徴とする請求項２に記載の車両用ルーフ構造。
【請求項４】
前記補強部は、前記ルーフ本体部の車両幅方向端部を構成する本体端部の厚みを前記ルーフ本体部の車両幅方向中央部の厚みよりも厚くして補強する端部補強部をさらに含んで形成されている、請求項１〜３のいずれか１項に記載の車両用ルーフ構造。
【請求項５】
車両幅方向両端の前記車体骨格部材間に架け渡され、弾性接着剤を介して車両下側から前記ルーフパネルの前記端部補強部を支持するルーフリインフォースを更に備えた、ことを特徴とする請求項４に記載の車両用ルーフ構造。
【請求項６】
前記立壁部には、車両下側が車両幅方向外側に突出する段差が形成されている、ことを特徴とする請求項１〜５のいずれか１項に記載の車両用ルーフ構造。
【請求項７】
アルミニウムまたはアルミニウム合金製のルーフ板材の車両幅方向端部を構成する内側パネル部及び該内側パネル部から車両幅方向内側に連続する外側パネル部の少なくとも一方に接着剤を塗布し、
前記外側パネル部と前記内側パネル部とが前記接着剤を挟んで重なり合うように前記ルーフ板材の端部を折り返して二枚重ねの折返部を形成し、
前記ルーフ板材をプレス加工してルーフパネルを製造する、
車両用ルーフパネルの製造方法。
【請求項８】
アルミニウムまたはアルミニウム合金製のルーフ板材の車両幅方向端部を構成する内側パネル部から車両幅方向内側に連続する外側パネル部に車両上下方向に配置される立壁部を形成すると共に前記立壁部に段差を形成し、
前記内側パネル部及び前記外側パネル部の少なくとも一方に接着剤を塗布し、
前記外側パネル部と前記内側パネル部とが前記接着剤を挟んで重なり合うように前記ルーフ板材の端部を折り返して二枚重ねの折返部を形成してルーフパネルを製造する、
車両用ルーフパネルの製造方法。
【発明の詳細な説明】
【技術分野】
【０００１】
本発明は、車両用ルーフ構造、及び車両用ルーフパネルの製造方法に係り、特にルーフパネルがアルミニウムまたはアルミニウム合金製である車両用ルーフ構造、及び車両用ルーフパネルの製造方法関する。
【背景技術】
【０００２】
近年、車両のルーフパネルには、軽量化のためにアルミニウムやアルミニウム合金材等の軽量材が使用されることがある。その場合、熱膨張率が高くなるが、ルーフパネルと車体骨格部材との熱膨張率の違いが大きくなると、両者を組み付けた後の高温環境下の製造工程の後に、ルーフパネルに歪みが生じる可能性がある。
【０００３】
このような歪みを防止するために、アルミニウムまたはアルミニウム合金製のルーフパネルについては、別で塗装乾燥焼き付け工程などの高温環境下の工程を行い、溶接工程でなく組み立て工程で組み付けることも考えられる。しかしながら、追加の工程が必要となり、コストや手間が増加してしまう。
【０００４】
そこで、特許文献１では、ルーフパネルの端部に別の板部材を接合することにより剛性を高めて歪みの発生を抑制している。しかしながら、特許文献１の構成では、別部材を追加するため部品点数が増えてしまう。さらに、特許文献２には、ルーフボウがルーフパネルと接合される構成が開示されているが、ルーフボウはルーフパネルの車両前後方向の全体と接合されているものではなく、ルーフパネルと車体骨格部材との間の歪みの抑制に対して効果が低い。
【先行技術文献】
【特許文献】
【０００５】
【特許文献１】特開２０１０−１１１３４６公報
【特許文献２】特開２００４−１３１０６２公報
【発明の概要】
【発明が解決しようとする課題】
【０００６】
本発明は、上記事実を考慮して成されたものであり、部品点数を増加させることなく、アルミニウムまたはアルミニウム合金製のルーフパネルの歪みを抑制することが可能な車両用ルーフ構造、及びこの車両用ルーフ構造を構成する車両用ルーフパネルの製造方法を得ることを目的とする。
【課題を解決するための手段】
【０００７】
請求項１に記載する本発明の車両用ルーフ構造は、車両ルーフの外板を構成するルーフ本体部と、前記ルーフ本体部の車両幅方向端部から車両下方へ屈曲し車両上下方向に配置された立壁部と、前記立壁部の下端から車両幅方向外側へ延出された接合部と、前記ルーフ本体部と一体的に形成され、前記接合部及び前記立壁部の厚みを前記ルーフ本体部の車両幅方向中央部の厚みよりも厚くし、前記接合部及び前記立壁部を補強する補強部と、を有するアルミニウムまたはアルミニウム合金製のルーフパネルと、前記ルーフパネルと熱膨張係数が異なり、前記ルーフパネルの車両幅方向両端に車両前後方向に沿って延在し、前記ルーフパネルの前記接合部と接合される車体骨格部材と、を備えている。
【０００８】
請求項１に係る車両用ルーフ構造は、車両ルーフの外板を構成するルーフ本体部、ルーフ本体部の車両幅方向端部から車両下方へ屈曲し車両上下方向に配置された立壁部、及び立壁部の下端から車両幅方向外側へ延出するように形成された接合部を有するアルミニウムまたはアルミニウム合金製のルーフパネルを備えている。そして、接合部及び立壁部は、補強部によりその厚みをルーフ本体部の車両幅方向中央部の厚みよりも厚くすることによって補強されている。この補強部は、ルーフ本体部と一体的に形成されているので、部品点数を増加させることなく接合部及び立壁部の補強を行うことができる。
【０００９】
請求項２に記載する本発明の車両用ルーフ構造は、前記補強部は、前記ルーフパネルの車両幅方向端部を折り返して前記ルーフパネルを外側パネル部と内側パネル部の二枚重ねとした折返部により構成されていること、を特徴とする。
【００１０】
請求項２に記載の本発明に係る車両用ルーフ構造は、ルーフパネルの車両幅方向端部を折り返してルーフパネルを外側パネル部と内側パネル部の二枚重ねとした折返部を形成し、この折返部が補強部を構成している。このように、ルーフパネルの車両幅方向端部を折り返すことにより、簡易に補強部を形成することができる。
【００１１】
請求項３に記載する本発明の車両用ルーフ構造は、前記外側パネル部と前記内側パネル部の間に、接着剤が介在されている、ことを特徴とする
【００１２】
請求項３に係る車両用ルーフ構造によれば、外側パネル部と内側パネル部とが接着剤により接合されているので、二枚重ねとした折返部の剛性が高まり、補強効果を高めることができる。
【００１３】
請求項４に記載する本発明の車両用ルーフ構造は、前記補強部は、前記ルーフ本体部の車両幅方向端部を構成する本体端部の厚みを前記ルーフ本体部の車両幅方向中央部の厚みよりも厚くして補強する端部補強部をさらに含んで形成されているものである。
【００１４】
請求項４に係る車両用ルーフ構造によれば、ルーフ本体部の車両幅方向端部を構成する本体端部の厚みについても厚くして補強することにより、補強効果を高めることができる。
【００１５】
請求項５に記載する本発明の車両用ルーフ構造は、車両幅方向両端の前記車体骨格部材間に架け渡され、弾性接着剤を介して車両下側から前記ルーフパネルの前記端部補強部を支持するルーフリインフォースを更に備えた、ことを特徴とする。
【００１６】
請求項５に係る車両用ルーフ構造では、弾性接着剤を介してルーフリインフォースで端部補強部が支持され、ルーフリインフォースによる支持部分から車両幅方向外側が補強部により補強されている。これにより、弾性接着剤よりも車両幅方向外側のルーフパネルの歪みが生じやすい部分が補強部により補強されており、補強効果を高めることができる。
【００１７】
請求項６に記載する本発明の車両用ルーフ構造は、前記立壁部には、車両下側が車両幅方向外側に突出する段差が形成されている、ことを特徴とする。
【００１８】
請求項６に係る車両用ルーフ構造によれば、段差により立壁部の剛性が高められるので、補強効果を高めることができる。
【００１９】
請求項７に記載する本発明の車両用ルーフパネルの製造方法は、アルミニウムまたはアルミニウム合金製のルーフ板材の車両幅方向端部を構成する内側パネル部及び該内側パネル部から車両幅方向内側に連続する外側パネル部の少なくとも一方に接着剤を塗布し、前記外側パネル部と前記内側パネル部とが前記接着剤を挟んで重なり合うように前記ルーフ板材の端部を折り返して二枚重ねの折返部を形成し、前記ルーフ板材をプレス加工してルーフパネルを製造するものである。
【００２０】
請求項７に係る車両用ルーフパネルの製造方法によれば、ルーフ板材の車両幅方向端部に折返部を形成した後、プレス加工を行うので、補強された折返部の形状を容易に所望の形状に成形することができる。
【００２１】
請求項８に記載する本発明の車両用ルーフパネルの製造方法は、アルミニウムまたはアルミニウム合金製のルーフ板材の車両幅方向端部を構成する内側パネル部から車両幅方向内側に連続する外側パネル部に車両上下方向に配置される立壁部を形成すると共に前記立壁部に段差を形成し、前記内側パネル部及び前記外側パネル部の少なくとも一方に接着剤を塗布し、前記外側パネル部と前記内側パネル部とが前記接着剤を挟んで重なり合うように前記ルーフ板材の端部を折り返して二枚重ねの折返部を形成してルーフパネルを製造するものである。
【００２２】
請求項８に係る車両用ルーフパネルの製造方法によれば、ルーフ板材の外側パネル部に段差のついた立壁部を形成した後で接着剤を塗布して外側パネル部と内側パネル部とを重ね合わせるので、内側パネル部を外側パネル部と異なる形状にすることができる。したがって、外側パネル部の段差部分等を利用して接着剤の充填量を増やす等の調整を行って、剛性を高めることができる。
【発明の効果】
【００２３】
本発明の請求項１に係る車両用ルーフ構造によれば、部品点数を増加させず、アルミニウムまたはアルミニウム合金製のルーフパネルの歪みを抑制することができる。
【００２４】
本発明の請求項２に係る車両用ルーフ構造によれば、簡易な構成で補強部を構成することができる。
【００２５】
本発明の請求項３に係る車両用ルーフ構造によれば、接着剤により折返部の剛性が高まり、補強効果を高めることができる。
【００２６】
本発明の請求項４に係る車両用ルーフ構造によれば、端部補強部を設けて、補強効果を高めることができる。
【００２７】
本発明の請求項５に係る車両用ルーフ構造によれば、補強効果を高めることができる。
【００２８】
本発明の請求項６に係る車両用ルーフ構造によれば、補強効果を高めることができる。
【００２９】
本発明の請求項７に係る車両用ルーフパネルの製造方法によれば、簡易に折返部を所望の形状に成型することができる。
【００３０】
本発明の請求項８に係る車両用ルーフパネルの製造方法によれば、接着剤の充填量を調整することにより、剛性を高めることができる。
【図面の簡単な説明】
【００３１】
【図１】本発明の第１の実施形態に係る車両ルーフの上部を示す斜視図である。
【図２】図１中のＡ−Ａ線に沿った車両ルーフの縦断面図である。
【図３】図１中のＢ−Ｂ線に沿った車両ルーフの縦断面図である。
【図４】本発明の第１の実施形態に係るルーフパネルの製造方法の手順（Ａ）〜（Ｃ）を説明する説明図である。
【図５】本発明の第１の実施形態に係るルーフパネルの変形例の縦断面図である。
【図６】本発明の第２の実施形態に係る車両ルーフの図１中のＡ−Ａ線に沿った縦断面図である。
【図７】本発明の第２の実施形態に係る車両ルーフの図１中のＢ−Ｂ線に沿った縦断面図である。
【図８】本発明の第２の実施形態に係るルーフパネルの製造方法の手順（Ａ）〜（Ｃ）を説明する説明図である。
【図９】比較例に係るルーフパネルに荷重が作用したときの変形状態を示す縦断面図である。
【発明を実施するための形態】
【００３２】
［第１実施形態］
【００３３】
以下、図面を用いて、本発明に係る車両用ルーフ構造、及び車両用ルーフの製造方法の実施形態について説明する。なお、図中に示される矢印ＵＰは車両上方側を示しており、矢印ＯＵＴは車両幅方向外側を示している。
【００３４】
図１には、本実施形態に係る車両用ルーフ構造が適用された車両の上部が斜視図で示されている。また、図２には、図１のＡ−Ａ線断面図が示されている。図１に示されるように、車両ルーフ１０は、キャビンを覆うルーフパネル３０及び車両幅方向の両サイドに設けられた車両骨格部材としてのルーフサイドレール１２を有している。
【００３５】
ルーフサイドレール１２は、左右一対で車両前後方向に沿って配設されている。ルーフサイドレール１２は、レールインナパネル、レールアウタリインフォース、及びサイドアウタパネルを含んで構成されているが、ここでは、サイドアウタパネルの一部のみを図示して説明している。
【００３６】
ルーフサイドレール１２は、サイド本体部１２Ａ、サイド立壁部１２Ｂ、及びサイド接合部１２Ｃを有している。サイド本体部１２Ａは、ルーフサイドレール１２の外面を形成している。サイド立壁部１２Ｂは、サイド本体部１２Ａの車両幅方向内側端部から車両下側へ屈曲して形成されている。サイド立壁部１２Ｂには、段差の車両下側が車両幅方向の内側へ突出するように段差１２ＢＤが形成されている。サイド接合部１２Ｃは、サイド立壁部１２Ｂの下端から車両幅方向内側へ延出されている。
【００３７】
ルーフパネル３０は、車両上方側へ凸となる緩やかな湾曲形状に形成され、キャビンを車両上方側から覆うルーフ本体部３２を備えている。ルーフ本体部３２は、後述するルーフリインフォース５０上の最も車両幅方向外側に施された弾性接着剤６０に対応する位置から車両幅方向外側では、本体端部３２Ａを構成している。また、ルーフパネル３０の車両幅方向の両端部には、立壁部３４及び接合部３６が形成されている。立壁部３４は、車両下方側へ屈曲され、車両上下方向に配置されている。立壁部３４には、段差の車両下側が車両幅方向の外側へ突出するように段差３４Ｄが形成されている。立壁部３４は、ルーフサイドレール１２のサイド立壁部１２Ｂと向き合うように配置されており、サイド立壁部１２Ｂと立壁部３４の間には、モール取付溝１８が形成されている。モール取付溝１８には、後述するルーフモール２０が配置される。
【００３８】
接合部３６は、立壁部３４の下端から車両幅方向外側へ延出されている。接合部３６は、サイド接合部１２Ｃの上面に配置され、接合部３６とサイド接合部１２Ｃとはスポット溶接により接合される。この接合部分は、モール取付溝１８の底部を構成している。
【００３９】
本体端部３２Ａ、立壁部３４及び接合部３６は、ルーフパネル３０の車両幅方向端部が車両内側に折り返されて二枚重ねで形成されている。この折り返された部分全体を、以下「折返部４０」と称する。また、折返部４０の外側を構成するルーフパネル３０を「外側パネル部４２」と称し、折返部４０の内側を構成するルーフパネル３０を「内側パネル部４４」と称する。外側パネル部４２と内側パネル部４４とは、接着剤４８を介して接合されている。
【００４０】
ルーフパネル３０は、アルミニウムまたはアルミニウム合金製とされている。ルーフサイドレール１２は鋼板で形成されている。したがって、ルーフパネル３０の熱膨張率はルーフサイドレール１２の熱膨張率よりも、大きい。
【００４１】
一対のルーフサイドレール１２間には、複数のルーフリインフォース５０（図１では、１本のみ表示）が、車両幅方向に沿って架け渡されている。ルーフリインフォース５０についてもアルミニウムまたはアルミニウム合金製とされている。図３には、図１のＢ−Ｂ線断面図が示されている。図３に示されるように、ルーフリインフォース５０は、本体補強部５２、フランジ部５４、傾斜部５６、及び底面接合部５８を有している。本体補強部５２は、車両幅方向に長尺形状で、車両幅方向から見て車両上側が開放された断面略Ｕ字状とされている。フランジ部５４は、本体補強部５２の上端からＵ字の外側に屈曲形成されている。本体補強部５２とフランジ部５４で、断面が略ハット状に形成されている。傾斜部５６は、本体補強部５２の幅方向両端に形成され、本体補強部５２上端がフランジ部５４の車両幅方向端部から車両幅方向外側に向かって斜め下側へ傾斜するように低くなるように形成されている。底面接合部５８は、本体補強部５２の底部が車両幅方向外側に延出されて形成されている。
【００４２】
底面接合部５８は、サイド接合部１２Ｃの上面に配置されている。底面接合部５８の上面には、ルーフパネル３０の接合部３６が配置されている。底面接合部５８と接合部３６は、スポット溶接接合やリベット接合により接合することができる。
【００４３】
ルーフリインフォース５０のフランジ部５４の車両幅方向端部上には、弾性接着剤６０が施されている。弾性接着剤６０は、フランジ部５４とルーフパネル３０の本体端部３２Ａの間に介在して両者と接着されている。弾性接着剤は、ルーフリインフォース５０の車両幅方向の複数箇所に施されているが、ここでは、最も車両幅方向外側に配置されているものをいう。弾性接着剤６０を介して、フランジ部５４上にルーフパネル３０が弾性的に支持されている。弾性接着剤６０を介して支持することにより、ルーフパネル３０の振動を吸収することができる。
【００４４】
ルーフサイドレール１２とルーフパネル３０の間に形成されたモール取付溝１８には、車両前後方向に沿った長尺のルーフモール２０が配置されている。ルーフモール２０は、図２及び図３に示されるように、モール本体２２、頸部２４、及びリップ部２６を有している。
【００４５】
モール本体２２は長手方向がルーフパネル３０の車両幅方向外端辺に沿い、幅寸法がモール取付溝１８の開口幅よりも大きく設定されている。モール本体２２の上面は、上側に凸となる緩やかな弧状とされている。モール本体２２の幅方向端部は、段差１２ＢＤと段差３４Ｄの上に各々配置されている。モール本体２２により、モール取付溝１８が覆われている。
【００４６】
頸部２４は、モール本体２２の幅方向中央から突出され、モール本体２２は長手方向と同方向に延出されている。頸部２４の下端には、リップ部２６が形成されている。リップ部２６は、比較的薄肉で頸部２４の下端から幅方向の両端に延出され、一方はサイド立て壁部１２Ｂに密着し、他方は立壁部３４に密着している。接合部３６とルーフモール２０との間は離間している。
【００４７】
次に、上記ルーフパネル３０の製造方法について説明する。
【００４８】
まず、図４（Ａ）に示されるように、ルーフパネル３０を加工する前のルーフ板材３０Ａの折り返し位置Ｐよりも車両幅方向内側の外側パネル部４２となる部分に、接着剤４８を塗布する。次に、図４（Ｂ）に示されるように、内側パネル部４４となる部分を車両幅方向の内側へ折り返して、接着剤４８を挟み込むようにして二つ折りにする。そして、図４（Ｃ）に示されるように、プレス加工により接合部３６、立壁部３４、本体端部３２Ａを成形する。
【００４９】
当該ルーフパネル３０を車体へ組み付ける際には、ルーフリインフォース５０のフランジ部５４上の所定箇所に弾性接着剤を塗布し、ルーフパネル３０とその上に配置して両者を弾性的に接合する。また、ルーフパネル３０の接合部３６をルーフリインフォース５０の底面接合部５８上に配置し、スポット溶接により接合する。そして、ルーフリインフォース５０が接合された状態のルーフパネル３０の接合部３６を、ルーフサイドレール１２のサイド接合部１２Ｃ上に配置し、スポット溶接により接合する。これにより、ルーフサイドレール１２が車体に組み付けられる。その後、モール取付溝１８へルーフモール２０を嵌めつけて、車両ルーフ１０の組み付けが完了する。
【００５０】
上記のようにルーフパネル３０が組み付けられた車体に対し、その後、塗装乾燥焼き付け工程などの高温環境下の工程が行われて、車両が製造される。
【００５１】
本実施形態に係る車両ルーフ１０は、ルーフパネル３０の折返部４０、即ち、接合部３６、立壁部３４、及び本体端部３２Ａが二枚重ねとされており、本体端部３２Ａよりも車両中央側のルーフ本体部３２部分よりも厚みが厚くなり補強されている。したがって、熱膨張率の異なる鋼板製のルーフサイドレール１２と組み付けられた後に、高温環境下での処理を行っても、アルミニウムまたはアルミニウム合金製のルーフパネル３０の歪みを抑制することができる。
なお、本実施形態では、接合部３６、立壁部３４、及び本体端部３２Ａを二枚重ねとして補強しているが、本体端部３２Ａを二枚重ねとせず、接合部３６及び立壁部３４のみを二枚重ねとして折返部を構成してもよい。
【００５２】
また、本実施形態では、ルーフパネル３０の車両幅方向端部を折り返してルーフ本体部３２と一体的に折返部４０を形成しているので、部品点数を増加させることなく、前述の補強を行うことができる。
【００５３】
また、本実施形態では、二枚重ねにして厚みを厚くすることで補強しているので、外観の見栄えへの影響を避けることができる。
【００５４】
また、本実施形態では、外側パネル部４２と内側パネル部４４とが接着剤４８で接着されているので、二枚重ねとした折返部４０の剛性が高まり、より確実にルーフパネル３０の歪みを抑制することができる。
【００５５】
また、本実施形態では、ルーフリインフォース５０により弾性支持された部分から車両幅方向外側が折返部４０となって補強されている。これにより、弾性接着剤６０よりも車両幅方向外側の歪みが生じやすい部分が補強されているので、より確実にルーフパネル３０の歪みを抑制することができる。
【００５６】
また、本実施形態では、立壁部３４に段差３４Ｄが形成されているので、立壁部３４の剛性が高くなる。図９に示される比較例のルーフパネル９０ように、アルミニウムまたはアルミニウム合金製の場合には、ルーフパネル９０が熱により膨張すると、荷重Ｋが負荷されることによって立壁部９４が車両幅方向外側へ倒れ込みやすい。本実施形態では、段差３４Ｄにより、この倒れ込みを抑制することができる。さらに、この段差３４Ｄを有することにより、段差部分にモール本体２２の下面を当接させて、ルーフモール２０を容易に配置することができる。
【００５７】
なお、本実施形態では、端部を折り返して二枚重ねとしたが、図５に示されるように、別体のパネル４６を一体的に接合して二枚重ねとしてもよい。この場合には、外側パネル部４２と別体のパネル４６を接合部３６で溶接により一体的に接合すると共に立壁部３４及び本体端部３２Ａでは接着剤４８を介して接合して、折返部４０を構成する。プレス加工前にパネル４６を接合し、プレス加工により立壁部３４を形成することにより、形成することができる。
【００５８】
また、ルーフパネル３０の接合部３６、立壁部３４、及び本体端部３２Ａに対応する部分について、二枚重ねではなく、厚みの厚い板材をテーラードブランクにより接合して、ルーフ本体部３２と一体的に形成することにより補強してもよい。
【００５９】
［第２実施形態］
【００６０】
次に、本発明の第２実施形態について説明する。本実施形態では、第１実施形態と同様の部分については同一の符号を付し、その詳細な説明を省略する。本実施形態のルーフパネル７０は、立壁部の構成が第１実施形態と異なり、その他の構成については第１実施形態と同様である。
【００６１】
図６及び図７に示されるように、本実施形態のルーフパネル７０は、第１実施形態の立壁部３４に代えて、立壁部７４を備えている。立壁部７４は、外側パネル部４２で段差７４Ｄが形成され、内側パネル部４４では段差が形成されていない。段差７４Ｄの下側部分には、外側パネル部４２と内側パネル部４４との間に断面が略三角形状の空間７４Ｒが形成され、空間７４Ｒに接着剤４８が充填されている。
【００６２】
次に、上記ルーフパネル７０の製造方法について説明する。
【００６３】
まず、図８（Ａ）に示されるように、ルーフパネル７０を加工する前のルーフ板材７０Ａの外側パネル部４２となる部分に、立壁部７４及び段差７４Ｄを形成する。次に、図８（Ｂ）に示されるように、外側パネル部４２の内側面に接着剤４８を塗布する。このとき、段差７４Ｄには、段差が埋められて平坦状となるように接着剤４８を塗布する。そして、図８（Ｃ）に示されるように、内側パネル部４４となる部分を車両幅方向の内側へ折り返して、接着剤４８を挟み込むようにして二つ折りにする。これにより、接合部７６、本体端部７２Ａも形成される。
【００６４】
当該ルーフパネル７０を車体への組み付けは、第１実施形態と同様にして行うことができる。このようにルーフパネル７０が組み付けられた車体に対し、その後、塗装乾燥焼き付け工程などの高温環境下の工程が行われて、車両が製造される。
【００６５】
本実施形態によれば、立壁部７４に充填される接着剤４８の量を多くして立壁部７４の厚みを厚くすることができるので、より確実にルーフパネル７０の歪みを抑制することができる。また、立壁部７４の倒れこみについても、より確実に抑制することができる。
【符号の説明】
【００６６】
１０   車両ルーフ（車両用ルーフ構造）
１２   ルーフサイドレール（車体骨格部材）
３０   ルーフパネル
３０Ａ ルーフ板材
３２   ルーフ本体部
３２Ａ 本体端部
３４Ｄ 段差
３４   立壁部
３６   接合部
４０   折返部
４２   外側パネル部
４４   内側パネル部
４８   接着剤
５０   ルーフリインフォース
６０   弾性接着剤
７０   ルーフパネル
７０Ａ ルーフ板材
７２Ａ 本体端部
７４   立壁部
７６   接合部
【図１】
2016078580.tif 000003
【図２】
2016078580.tif 000004
【図３】
2016078580.tif 000005
【図４】
2016078580.tif 000006
【図５】
2016078580.tif 000007
【図６】
2016078580.tif 000008
【図７】
2016078580.tif 000009
【図８】
2016078580.tif 000010
【図９】
2016078580.tif 000011